(57)【要約】【課題】直交変調器が出力可能な周波数範囲全域でイメージ抑圧比による品質劣化の少ない高精度な変調信号を取得可能な信号発生装置、信号調整システム及び信号調整方法を提供する。【解決手段】波形データ発生部１１とＤ／Ａ変換器１３との間に配置され、波形データ発生部１１から入力するＩ波形データとＱ波形データの相対的な時間差を調整する時間差調整部１２ａと、イメージ抑圧比を所定値以下に調整するためのＩ波形データとＱ波形データの時間差調整値を複数の周波数帯域にそれぞれ対応付けて格納する時間差調整テーブル２１と、局部発振器１５が出力中のキャリア信号のキャリア周波数が属する周波数帯域に対応付けられた時間差調整値を時間差調整テーブル２１から読出し、該時間差調整値に基づいて時間差調整部１２ａにおける時間差の調整制御を行う制御部２２と、を含む。【選択図】図１
2018157316.tif 000002
【特許請求の範囲】
【請求項１】
互いに直交するＩ波形データ及びＱ波形データを出力する波形データ発生部（１１）と、
所望のキャリア周波数のキャリア信号を出力する局部発振器（１５）と、
前記キャリア信号をＩ波形アナログ信号及びＱ波形アナログ信号で直交変調して変調信号として出力する直交変調器（１６）と、
前記波形データ発生部と前記直交変調器との間に配置され、前記波形データ発生部から入力する前記Ｉ波形データと前記Ｑ波形データの相対的な時間差を調整する時間差調整部（１２ａ）を有し、前記時間差の調整によって前記直交変調器から出力される前記変調信号のイメージ抑圧比を調整するＩＱ調整部（１２）と、
前記イメージ抑圧比を所定値以下に調整するための前記Ｉ波形データと前記Ｑ波形データの時間差調整値を、前記局部発振器から出力可能なキャリア周波数範囲の連続する複数の周波数帯域にそれぞれ対応付けて格納する時間差調整テーブル（２１）と、
前記局部発振器が出力する前記キャリア信号の前記キャリア周波数が属する前記周波数帯域に対応付けられた前記時間差調整値を前記時間差調整テーブルから読出し、該時間差調整値に基づいて前記時間差調整部における前記時間差の調整制御を行う時間差調整制御部（２３）と、を備えたことを特徴とする信号発生装置。
【請求項２】
前記時間差調整部は、前記Ｉ波形データまたは前記Ｑ波形データの少なくとも一方を遅延させる遅延回路で構成されることを特徴とする請求項１に記載の信号発生装置。
【請求項３】
請求項１または請求項２に記載の信号発生装置と、
前記信号発生装置の前記直交変調器から出力された前記変調信号の前記イメージ抑圧比の測定値を出力するイメージ抑圧比測定装置（３０）と、
前記信号発生装置に対して前記各周波数帯域の前記キャリア信号に基づく前記変調信号の出力を順次指示するとともに、前記直交変調器から順次出力される前記各周波数帯域の前記変調信号の前記イメージ抑圧比の測定値に基づいて前記時間差調整部に順次異なる前記時間差調整値を設定する調整制御装置（４０）と、を備え、
前記調整制御装置は、
前記各周波数帯の前記キャリア信号に基づく前記変調信号の前記イメージ抑圧比の測定値を前記イメージ抑圧比測定装置から順次取得する測定値取得部（４１）と、
前記測定値取得部が取得した前記測定値に基づいて前記イメージ抑圧比が前記所定値を超えているか否かを判定するイメージ抑圧比判定部（４２）と、
前記イメージ抑圧比判定部により前記イメージ抑圧比が前記所定値を超えていることが判定された場合、前記時間差調整部に順次異なる値の前記時間差調整値を設定する時間差調整値可変設定部（４３）と、
前記異なる値の前記時間差調整値に基づき前記時間差が順次調整制御された前記Ｉ波形データと前記Ｑ波形データに基づく前記変調信号の前記イメージ抑圧比の前記測定値が前記所定値を超えていないことが前記イメージ抑圧比判定部により判定された場合、前記時間差調整テーブルを初期化し、前記時間差調整部に設定されている前記時間差調整値を出力中の前記キャリア信号の周波数帯域に対応付けて前記時間差調整テーブルに格納する格納制御部（４４）と、を有することを特徴とする信号調整システム。
【請求項４】
請求項１または請求項２に記載の信号発生装置を用いる信号調整方法であって、
前記イメージ抑圧比を所定値以下に調整するための前記Ｉ波形データと前記Ｑ波形データの時間差調整値を、前記局部発振器から出力可能なキャリア周波数範囲の連続する複数の周波数帯域にそれぞれ対応付けて格納する格納ステップ（Ｓ１６）と、
前記局部発振器が出力する前記キャリア信号の前記キャリア周波数を捕捉する捕捉ステップ（Ｓ２１）と、
前記捕捉ステップにより捕捉した前記キャリア周波数が属する前記周波数帯域に対応付けられた前記時間差調整値を前記時間差調整テーブルから読出し、該時間差調整値に基づいて前記時間差調整部における前記時間差の調整制御を行う時間差調整制御ステップ（Ｓ２２、Ｓ２３）と、を含むことを特徴とする信号調整方法。
【請求項５】
請求項３に記載の信号調整システムを用いる信号調整方法であって、
前記各周波数帯の前記キャリア信号に基づく前記変調信号の前記イメージ抑圧比の測定値を前記イメージ抑圧比測定装置から順次取得する測定値取得ステップ（Ｓ１３）と、
前記測定値取得ステップで取得した前記測定値に基づいて前記イメージ抑圧比が前記所定値を超えているか否かを判定するイメージ抑圧比判定ステップ（Ｓ１４）と、
前記イメージ抑圧比判定ステップにより前記イメージ抑圧比が前記所定値を超えていることが判定された場合、前記時間差調整部に順次異なる値の前記時間差調整値を設定する時間差調整値可変設定ステップ（Ｓ１２）と、
前記異なる値の前記時間差調整値に基づき前記時間差が順次調整制御された前記Ｉ波形データと前記Ｑ波形データに基づく前記変調信号の前記イメージ抑圧比の前記測定値が前記所定値を超えていないことが前記イメージ抑圧比判定部により判定された場合、前記時間差調整テーブルを初期化し、前記時間差調整部に設定されている前記時間差調整値を出力中の前記キャリア信号の周波数帯域に対応付けて前記時間差調整テーブルに格納する格納制御ステップ（Ｓ１６）と、を含むことを特徴とする信号調整方法。
【発明の詳細な説明】
【技術分野】
【０００１】
本発明は、信号調整システム及び信号調整方法に関し、特に、直交変調器を備える信号発生装置、該信号発生装置から出力される変調信号に含まれるイメージ抑圧比を低減する信号調整システム及び信号調整方法に関する。
【背景技術】
【０００２】
従来より、Ｉ相成分（同相成分）及びＱ相成分（直交成分）のベースバンド信号でキャリア信号を直交変調して、変調信号を発生させる信号発生装置が広く用いられている（例えば、特許文献１参照）。
【０００３】
信号発生装置が備える直交変調器は乗算器（ミキサ）を含んでおり、図９のスペクトラム図に示すように、所望の変調信号１０１の周波数成分に加えて、キャリア信号が乗算器を介して変調信号にリークすることによるキャリアリーク１０２が発生する。また、Ｉ相成分の信号とＱ相成分の信号との直交性にずれが生じた場合、あるいは両信号の間に時間差が生じた場合にイメージ信号１０３が発生する。なお、所望の変調信号１０１のレベルＬｄに対するイメージ信号のレベルＬｉの比Ｌｉ／Ｌｄは、イメージ抑圧比と呼ばれる。キャリアリークやイメージ信号が発生すると、変調信号を復調する場合に完全な元のデータ信号が得られない可能性が高まる。
【０００４】
そこで、キャリアリークやイメージ抑圧比を低減する調整方法が従来から提案されている。例えば、特許文献１には、ベースバンドのデジタルの同相成分信号と直交成分信号とを出力するベースバンド信号発生部と、デジタルの同相成分信号と直交成分信号をアナログの同相成分信号と直交成分信号に変換する２つのＤ／Ａ変換器との間に、直交変調器のオフセット誤差及び直交誤差を補償する誤差補償部を設け、入力される同相成分信号Ｉと直交成分信号Ｑに対して演算を行うことにより、オフセット誤差、振幅誤差及び位相誤差が補償された同相成分信号Ｉ´と直交成分信号Ｑ´を生成する構成が開示されている。
【先行技術文献】
【特許文献】
【０００５】
【特許文献１】特開２００７−１１６２４１号公報
【発明の概要】
【発明が解決しようとする課題】
【０００６】
ところで、直交変調器を用いた信号発生装置では、キャリア周波数（ＲＦ周波数）の周波数範囲が例えば１００ＭＨｚ〜６ＧＨｚと広く、キャリアリークやイメージ抑圧比の調整値もキャリア信号の周波数帯域によって異なるのが一般的である。また、この種の信号発生装置は、キャリア周波数が高くなるに従がってイメージ抑圧比が悪化する傾向にあり、例えば、５〜６ＧＨｚ帯ではその傾向が高まるため、当該周波数範囲でのイメージ抑圧比の低減が望まれている。
【０００７】
特許文献１には、直交誤差によって変調出力信号に含まれるイメージ成分をスペクトラムアナライザにより観測し、このイメージ成分のレベルが最小となるように直交変調器に入力される同相成分信号Ｉと直交成分信号Ｑの振幅と位相の調整を行う点が記載されている（段落００１６参照）。
【０００８】
しかしながら、従来の信号調整方法では、広範な周波数範囲を対象に、変調出力信号に含まれるイメージ成分をスペクトラムアナライザ等の外部装置により測定し、周波数範囲全域で出力信号が最適レベルに調整されるようにイメージ抑圧比を追い込む処理は行われていなかった。
【０００９】
また、特許文献１に記載されるように、波形データ発生部とＤＡＣとの間に誤差補償部を設け、演算によってイメージ抑圧比等を低減する信号調整方法は従来から知られていた。しかしながら、特許文献１に記載のものに代表される従来の信号調整方法にあっては、信号発生装置の使用時の任意調整のために実施するのが前提であって、信号発生装置が出力可能な周波数範囲全域に亘って変調信号が最適化された状態に調整する方法は提案されていなかった。
【００１０】
このように、従来は、信号発生装置のキャリア信号の周波数範囲を対象に外部装置（測定装置）を使用してその中のどの帯域においても出力変調信号が最適レベルとなるようイメージ抑圧比を追い込む処理は行われておらず、必然的に、上記最適レベルとなるイメージ抑圧比の調整値を上記周波数範囲の各周波数帯域に対応付けて記憶することも行われていなかった。このため、従来の信号発生装置は、直交変調器が出力可能な周波数範囲の各周波数帯域ごとにイメージ抑圧比を精度よく低減することができず、広範な周波数範囲に亘って直交変調出力の信号品質を良好に維持することができないという問題点があった。
【００１１】
本発明は、このような従来の課題を解決するためになされたものであって、直交変調器が出力可能な周波数範囲全域に亘りイメージ抑圧比による品質劣化の少ない高精度な変調信号を取得可能な信号発生装置、信号調整システム及び信号調整方法を提供することを目的とする。
【課題を解決するための手段】
【００１２】
上記課題を解決するために、本発明の請求項１の信号発生装置は、互いに直交するＩ波形データ及びＱ波形データを出力する波形データ発生部（１１）と、所望のキャリア周波数のキャリア信号を出力する局部発振器（１５）と、前記キャリア信号をＩ波形アナログ信号及びＱ波形アナログ信号で直交変調して変調信号として出力する直交変調器（１６）と、前記波形データ発生部と前記直交変調器との間に配置され、前記波形データ発生部から入力する前記Ｉ波形データと前記Ｑ波形データの相対的な時間差を調整する時間差調整部（１２ａ）を有し、前記時間差の調整によって前記直交変調器から出力される前記変調信号のイメージ抑圧比を調整するＩＱ調整部（１２）と、前記イメージ抑圧比を所定値以下に調整するための前記Ｉ波形データと前記Ｑ波形データの時間差調整値を、前記局部発振器から出力可能なキャリア周波数範囲の連続する複数の周波数帯域にそれぞれ対応付けて格納する時間差調整テーブル（２１）と、前記局部発振器が出力する前記キャリア信号の前記キャリア周波数が属する前記周波数帯域に対応付けられた前記時間差調整値を前記時間差調整テーブルから読出し、該時間差調整値に基づいて前記時間差調整部における前記時間差の調整制御を行う時間差調整制御部（２３）と、を備えた構成である。
【００１３】
この構成により、請求項１の信号発生装置は、時間差調整テーブルに各周波数帯域に対応付けて格納された時間差調整値に基づいてイメージ抑圧比を精度よく低減でき、イメージ抑圧比による品質劣化の少ない高精度な変調信号を広範な帯域に亘って取得できるようになる。
【００１４】
また、本発明の請求項２の信号発生装置においては、前記時間差調整部は、前記Ｉ波形データまたは前記Ｑ波形データの少なくとも一方を遅延させる遅延回路で構成されていてもよい。
【００１５】
この構成により、請求項２の信号発生装置は、イメージ抑圧比を所定値以下に調整するためのＩ波形データとＱ波形データの時間差を調整する時間差調整部の設計の自由度を高めることができる。
【００１６】
また、本発明の請求項３の信号調整システムは、前記信号発生装置と、前記信号発生装置の前記直交変調器から出力された前記変調信号の前記イメージ抑圧比の測定値を出力するイメージ抑圧比測定装置（３０）と、前記信号発生装置に対して前記各周波数帯域の前記キャリア信号に基づく前記変調信号の出力を順次指示するとともに、前記直交変調器から順次出力される前記各周波数帯域の前記変調信号の前記イメージ抑圧比の測定値に基づいて前記時間差調整部に順次異なる前記時間差調整値を設定する調整制御装置（４０）と、を備え、前記調整制御装置は、前記各周波数帯の前記キャリア信号に基づく前記変調信号の前記イメージ抑圧比の測定値を前記イメージ抑圧比測定装置から順次取得する測定値取得部（４１）と、前記測定値取得部が取得した前記測定値に基づいて前記イメージ抑圧比が前記所定値を超えているか否かを判定するイメージ抑圧比判定部（４２）と、前記イメージ抑圧比判定部により前記イメージ抑圧比が前記所定値を超えていることが判定された場合、前記時間差調整部に順次異なる値の前記時間差調整値を設定する時間差調整値可変設定部（４３）と、前記異なる値の前記時間差調整値に基づき前記時間差が順次調整制御された前記Ｉ波形データと前記Ｑ波形データに基づく前記変調信号の前記イメージ抑圧比の前記測定値が前記所定値を超えていないことが前記イメージ抑圧比判定部により判定された場合、前記時間差調整テーブルを初期化し、前記時間差調整部に設定されている前記時間差調整値を出力中の前記キャリア信号の周波数帯域に対応付けて前記時間差調整テーブルに格納する格納制御部（４４）と、を有する構成である。
【００１７】
この構成により、請求項３の信号調整システムは、直交変調器から出力可能なキャリア周波数範囲の各周波数帯域に対応付けてイメージ抑圧比が所定値以下となる時間差調整値を格納した時間差調整テーブルを確保でき、該時間差調整テーブルを用いてキャリア周波数範囲全域でイメージ抑圧比による品質劣化の少ない高精度な変調信号を取得可能となる。
【００１８】
また、本発明の請求項４の信号調整方法は、前記信号発生装置を用いる信号調整方法であって、前記イメージ抑圧比を所定値以下に調整するための前記Ｉ波形データと前記Ｑ波形データの時間差調整値を、前記局部発振器から出力可能なキャリア周波数範囲の連続する複数の周波数帯域にそれぞれ対応付けて格納する格納ステップ（Ｓ１６）と、前記局部発振器が出力する前記キャリア信号の前記キャリア周波数を捕捉する捕捉ステップ（Ｓ２１）と、前記捕捉ステップにより捕捉した前記キャリア周波数が属する前記周波数帯域に対応付けられた前記時間差調整値を前記時間差調整テーブルから読出し、該時間差調整値に基づいて前記時間差調整部における前記時間差の調整制御を行う時間差調整制御ステップ（Ｓ２２、Ｓ２３）と、を含む構成である。
【００１９】
この構成により、請求項４の信号調整方法では、時間差調整テーブルに各周波数帯域に対応付けて格納された時間差調整値に基づいてイメージ抑圧比を精度よく低減でき、イメージ抑圧比による品質劣化の少ない高精度な変調信号を広範な帯域に亘って取得できるようになる。
【００２０】
また、本発明の請求項５の信号調整方法は、前記信号調整システムを用いる信号調整方法であって、前記各周波数帯の前記キャリア信号に基づく前記変調信号の前記イメージ抑圧比の測定値を前記イメージ抑圧比測定装置から順次取得する測定値取得ステップ（Ｓ１３）と、前記測定値取得ステップで取得した前記測定値に基づいて前記イメージ抑圧比が前記所定値を超えているか否かを判定するイメージ抑圧比判定ステップ（Ｓ１４）と、前記イメージ抑圧比判定ステップにより前記イメージ抑圧比が前記所定値を超えていることが判定された場合、前記時間差調整部に順次異なる値の前記時間差調整値を設定する時間差調整値可変設定ステップ（Ｓ１２）と、前記異なる値の前記時間差調整値に基づき前記時間差が順次調整制御された前記Ｉ波形データと前記Ｑ波形データに基づく前記変調信号の前記イメージ抑圧比の前記測定値が前記所定値を超えていないことが前記イメージ抑圧比判定部により判定された場合、前記時間差調整テーブルを初期化し、前記時間差調整部に設定されている前記時間差調整値を出力中の前記キャリア信号の周波数帯域に対応付けて前記時間差調整テーブルに格納する格納制御ステップ（Ｓ１６）と、を含む構成である。
【００２１】
この構成により、請求項５の信号調整方法では、信号調整時には、直交変調器から出力可能なキャリア周波数範囲の各周波数帯域に対応付けてイメージ抑圧比が所定値以下となる時間差調整値を格納した時間差調整テーブルを確保することができ、信号発生装置を切り離して使用する際、時間差調整テーブルを用いてキャリア周波数範囲全域でイメージ抑圧比による品質劣化の少ない高精度な変調信号を取得できる。
【発明の効果】
【００２２】
本発明は、直交変調器が出力可能な周波数範囲全域に亘りイメージ抑圧比による品質劣化の少ない高精度な変調信号を取得可能な信号発生装置、信号調整システム及び信号調整方法を提供することができる。
【図面の簡単な説明】
【００２３】
【図１】本発明の一実施形態に係る信号調整システムの構成を示すブロック図である。
【図２】本発明の一実施形態に係る信号調整システムにおける信号発生装置の制御部及び記憶部の構成を示すブロック図である。
【図３】図２における記憶部に設けられる時間差調整テーブルの構成を示す表図である。
【図４】本発明の一実施形態に係る信号調整システムの信号調整処理に係る各装置間のコマンド送受信動作を示すシーケンス図である。
【図５】本発明の一実施形態に係る信号調整システムを用いた信号調整方法の処理を示すフローチャートである。
【図６】図５のフローチャートにおけるイメージ信号調整処理を詳細に説明するためのフローチャートである。
【図７】本発明の一実施形態に係る信号調整システムから切り離された信号発生装置の構成を示すブロック図である。
【図８】本発明の一実施形態に係る信号調整システムから切り離された信号発生装置の信号調整方法の処理を示すフローチャートである。
【図９】キャリアリークとイメージ抑圧比を説明するための図である。
【発明を実施するための形態】
【００２４】
以下、本発明に係る信号発生装置、信号調整システム及び信号調整方法の実施形態について図面を用いて説明する。
【００２５】
図１に示すように、本発明の実施形態に係る信号調整システム１は、信号発生装置１０と、イメージ抑圧比測定装置としてのスペクトラムアナライザ（ＳＡ）３０と、調整制御装置４０と、を備える。なお、調整制御装置４０は、信号発生装置１０内に搭載されていてもよい。
【００２６】
信号発生装置１０は、波形データ発生部１１と、ＩＱ調整部１２と、Ｄ／Ａ変換器（ＤＡＣ）１３と、ローパスフィルタ（ＬＰＦ）１４と、局部発振器１５と、直交変調器１６と、増幅器１７と、表示部１８と、操作部１９と、記憶部２０と、制御部２２と、を備える。
【００２７】
波形データ発生部１１は、直交変調器１６から出力される変調信号のベースバンド信号として、互いに直交するＩ相成分（同相成分）及びＱ相成分（直交成分）のベースバンドの波形データ（ディジタル値）を出力するようになっている。なお、以降では、Ｉ相成分のベースバンドの波形データを「Ｉ波形データ」、Ｑ相成分のベースバンドの波形データを「Ｑ波形データ」ともいう。図１及び図７では、Ｉ波形データ、Ｑ波形データを、それぞれ、Ｉ、Ｑの符号で識別している。
【００２８】
Ｉ波形データ及びＱ波形データが対応する通信規格としては、例えば、セルラ（ＬＴＥ、ＬＴＥ−Ａ、Ｗ−ＣＤＭＡ（登録商標）、ＧＳＭ（登録商標）、ＣＤＭＡ２０００、１ｘＥＶ−ＤＯ、ＴＤ−ＳＣＤＭＡ等）、ＷＬＡＮ（ＩＥＥＥ８０２．１１ｂ／ｇ／ａ／ｎ／ａｃ／ａｄ等）、Ｂｌｕｅｔｏｏｔｈ（登録商標）、ＧＮＳＳ（ＧＰＳ、Ｇａｌｉｌｅｏ、ＧＬＯＮＡＳＳ、ＢｅｉＤｏｕ等）、ＦＭ、及びディジタル放送（ＤＶＢ−Ｈ、ＩＳＤＢ−Ｔ等）が挙げられる。
【００２９】
例えば、波形データ発生部１１は、様々な通信規格に対応したＩ波形データ及びＱ波形データを個別の波形ファイルとして記憶しており、操作部１９により選択された通信規格に対応した波形ファイルからＩ波形データ及びＱ波形データを展開して、後段のＩＱ調整部１２に出力するようになっている。あるいは、波形データ発生部１１は、操作部１９により選択された通信規格に対応したＩ波形データ及びＱ波形データを、ＤＳＰ（Digital Signal Processor）により逐次生成して出力するものであってもよい。
【００３０】
ＩＱ調整部１２は、波形データ発生部１１とＤＡＣ１３との間に配置され、Ｉ波形データとＱ波形データの相対的な時間差を調整することによって直交変調器１６から出力される変調信号の信号レベル、具体的には、イメージ抑圧比を調整するものである。ＩＱ調整部１２は、例えばフィールド・プログラマブル・ゲート・アレイ（Field Programmable Gate Array：ＦＰＧＡ）で構成される。
【００３１】
ＩＱ調整部１２は、Ｉ波形データとＱ波形データの相対的な時間差を調整する時間差調整部１２ａを有する。本実施形態において、時間差調整部１２ａは、Ｑ波形データの伝送経路中に介挿され、時間差調整値が設定されると、別経路を伝送されるＩ波形データに対して、設定された時間差調整値に相当する時間だけＱ波形データを遅らせる遅延回路により構成されている。
【００３２】
ＤＡＣ１３は、ディジタル信号であるＩ波形データ及びＱ波形データをそれぞれアナログ信号であるＩ波形アナログ信号及びＱ波形アナログ信号に変換するようになっている。
【００３３】
ＬＰＦ１４は、ＤＡＣ１３から出力されたＩ波形アナログ信号及びＱ波形アナログ信号の出力信号の高周波成分を除去するようになっている。
【００３４】
局部発振器１５は、例えばＰＬＬ回路により構成されており、制御部２２又は調整制御装置４０からの制御信号に基づいた所望のキャリア周波数のキャリア信号を直交変調器１６に出力するようになっている。例えば、局部発振器１５は、１ＧＨｚ〜６ＧＨｚの周波数範囲で２．５ＭＨｚのステップでキャリア信号を出力する。なお、局部発振器１５の発振周波数のステップは２．５ＭＨｚのみならず、例えば１Ｈｚ単位で可変可能である。
【００３５】
直交変調器１６は、局部発振器１５から入力されたキャリア信号を、ＬＰＦ１４を通過したＩ波形アナログ信号及びＱ波形アナログ信号で直交変調して変調信号として出力するようになっており、移相器１６ａと、乗算器１６ｂ，１６ｃと、加算器１６ｄと、を備える。
【００３６】
局部発振器１５からのキャリア信号は、直接乗算器１６ｂへ入力されるとともに、移相器１６ａで位相が９０°移相された後、乗算器１６ｃへ入力される。また、乗算器１６ｂ，１６ｃには、それぞれＬＰＦ１４を通過したＩ波形アナログ信号及びＱ波形アナログ信号が入力される。
【００３７】
乗算器１６ｂは、キャリア信号とＩ波形アナログ信号とを乗算して加算器１６ｄへ出力する。乗算器１６ｃは、９０°移相されたキャリア信号とＱ波形アナログ信号とを乗算して加算器１６ｄへ出力する。加算器１６ｄは、各乗算器１６ｂ，１６ｃからの出力を加算して変調信号として出力する。直交変調器１６から出力された変調信号は、増幅器１７で増幅される。
【００３８】
表示部１８は、例えばＬＣＤやＣＲＴなどの表示機器で構成され、制御部２２からの制御信号に応じて各種表示内容を表示するようになっている。この表示内容には、複数の通信規格や、複数の波形データの一覧などが含まれる。
【００３９】
操作部１９は、ユーザによる操作入力を行うためのものであり、キーボード、タッチパネル、又はマウスのような入力デバイスを含んで構成される。あるいは、操作部１９は、ボタン、ソフトキー、プルダウンメニュー、テキストボックスなどの操作対象が表示部１８に表示される構成であってもよい。例えば、ユーザは、操作部１９を用いて、信号発生装置１０から出力される変調信号の通信規格を複数の通信規格の中から選択することができる。また、操作部１９により、局部発振器１５からの出力信号の周波数を設定することなども可能である。
【００４０】
記憶部２０には、時間差調整テーブル２１（図２参照）が設けられている。時間差調整テーブル２１には、図３に示すように、直交変調器１６が出力する変調信号のイメージ抑圧比を予め閾値として設定した所定値以下に調整するためのＩ波形データとＱ波形データの時間差調整値が、局部発振器１５から出力可能なキャリア周波数範囲内のそれぞれ所定の周波数幅を有する連続する複数の周波数帯域にそれぞれ対応付けて格納されている。
【００４１】
具体的に、図３に示す時間差調整テーブル２１には、直交変調器１６が出力可能なキャリア信号のキャリア周波数範囲、例えば、１ＧＨｚ〜６ＧＨｚのうちの、特に、５ＧＨｚから６ＧＨｚのキャリア周波数範囲を調整対象とし、このキャリア周波数範囲を例えば１００ＭＨｚ刻みの周波数幅を有する各帯域にそれぞれ対応付けて時間差調整値が格納されている。
【００４２】
図３に示すように、時間差調整テーブル２１において、５０５０ＭＨｚ帯は、周波数５０００ＭＨｚ〜５０９９ＭＨｚの周波数幅に設定されている。５０５０ＭＨｚ帯には、イメージ抑圧比を所定値以下に調整するためのＩ波形データとＱ波形データの時間差調整値として、例えば、５ピコ秒（ｐｓｅｃ）が格納されている。
【００４３】
同様に、５１５０ＭＨｚ帯は、周波数５１００ＭＨｚ〜５１９９ＭＨｚの周波数幅に設定されており、５２５０ＭＨｚ帯は、周波数５２００ＭＨｚ〜５２９９ＭＨｚの周波数幅に設定されている。５１５０ＭＨｚ帯、５２５０ＭＨｚ帯には、イメージ抑圧比を所定値以下に調整するためのＩ波形データとＱ波形データの時間差調整値として、それぞれ、例えば、１５ピコ秒（ｐｓｅｃ）が格納されている。
【００４４】
５２５０ＭＨｚ帯を超える各周波数帯についても、同様に、周波数幅が１００ＭＨｚ刻みで設定され、各帯域に対応付けてそれぞれ時間差調整値が格納されている。
【００４５】
時間差調整テーブル２１は、イメージ抑圧比を所定値以下とする時間差調整値として、例えばＩ波形データを基準とし、Ｉ波形データに対してＱ波形データを遅らせる時間（遅延時間）を格納している。図３に示す時間差調整テーブル２１を用いた場合、ＩＱ調整部１２は、Ｑ波形データの伝送経路中に設けた時間差調整部１２ａ（図１、図７参照）において、設定された時間差調整値に基づき、Ｑ波形データをＩ波形データに対して時間差調整値に相当する時間だけ遅延させるように調整することができ、これにより、イメージ抑圧比を所定値以下に調整することができる。
【００４６】
時間差調整テーブル２１に対する時間差調整値の格納制御は、例えば、後述する調整制御装置４０の格納制御部４４により行うことができる。時間差調整値の格納制御については、図４〜図６を参照して後で詳述する。
【００４７】
制御部２２は、例えばＣＰＵ、ＲＯＭ、ＲＡＭなどを含むマイクロコンピュータで構成され、信号発生装置１０を構成する上記各部の動作を制御する。制御部２２は、図２に示すように、所定のプログラムを実行することにより、ＩＱ時間差調整制御部２３をソフトウェア的に構成するようになっている。
【００４８】
ＩＱ時間差調整制御部２３は、信号発生装置１０から調整制御装置４０とＳＡ３０が切り離された状態で、局部発振器１５が出力するキャリア信号のキャリア周波数を捕捉し、該捕捉したキャリア周波数が属する周波数範囲に対応付けられた時間差調整値を前記時間差調整テーブル２１から読出して時間差調整部１２ａに設定し、該時間差調整値に基づいて時間差調整部１２ａにおけるＩ波形データに対してＱ波形データの相対的な時間を調整する時間差調整制御を実行する。ＩＱ時間差調整制御部２３は、本発明の時間差調整制御部を構成する。
【００４９】
ＳＡ３０は、直交変調器１６から出力された変調信号のキャリアリーク及びイメージ抑圧比を測定する。また、ＳＡ３０は、調整制御装置４０からの制御信号に応じて、変調信号（キャリア信号）の測定値［ｄＢｍ］、キャリアリークの測定値［ｄＢｍ］、又はイメージ抑圧比の測定値［ｄＢ］を出力するようになっている。特に、本実施形態において、ＳＡ３０は、調整制御装置４０からの測定値取得要求コマンド（図４参照）を受けることにより上記変調信号のイメージ抑圧比の測定値［ｄＢ］を出力するようになっている。ＳＡ３０は、本発明のイメージ抑圧比測定装置を構成する。
【００５０】
調整制御装置４０は、ＩＱ調整部１２を制御するものである。具体的に、調整制御装置４０は、信号発生装置１０に対して自装置がカバーする各周波数帯域のキャリア信号に基づく変調信号の出力を順次指示するとともに、直交変調器１６から順次出力される各周波数帯域の変調信号のＳＡ３０によるイメージ抑圧比の測定値に基づいて時間差調整部１２ａに順次異なる時間差調整値を設定する信号調整処理を行う。
【００５１】
調整制御装置４０は、例えばＣＰＵ、ＲＯＭ、ＲＡＭ、ＨＤＤなどを含むパーソナルコンピュータ（ＰＣ）で構成され、ＲＯＭに記憶された所定のプログラムをＲＡＭに移して実行することにより、測定値取得部４１と、イメージ抑圧比判定部４２と、時間差調整値可変設定部４３と、格納制御部４４と、をソフトウェア的に構成するようになっている。
【００５２】
測定値取得部４１は、信号発生装置１０に対してそれぞれ異なるキャリア周波数での変調信号の出力を指示するコマンドを順次送出する一方で、ＳＡ３０に対して測定値の取得を要求するコマンドを順次送出することにより、ＳＡ３０からイメージ抑圧比の測定値を順次取得する。
【００５３】
イメージ抑圧比判定部４２は、測定値取得部４１が取得した測定値に基づいてイメージ抑圧比が所定値を超えているか否かを判定する。イメージ抑圧比判定部４２は、例えば、ＳＡ３０によるイメージ信号１０３（図９参照）の測定値を電圧値に変換し、該電圧値を上記閾値として設定した所定値に対応する電圧値と比較し、その比較結果に基づいてイメージ抑圧比が所定値以下であるか否かを出力する構成とすることができる。
【００５４】
なお、信号調整システム１において、ＳＡ３０は、上述した信号調整処理に際して信号発生装置１０から出力された変調信号を受信し、その変調信号の測定結果を、例えば、図９に示す態様で、変調信号１０１、キャリアリーク１０２及びイメージ信号１０３として図示しない表示部に表示可能な構成となっている。
【００５５】
このため、イメージ抑圧比判定部４２は、調整制御装置４０を操作する操作者が、ＳＡ３０に表示された変調信号１０１とイメージ信号１０３の大きさを比べることでイメージ信号１０３が所定値以下になったかどうかを目視判定し、その判定結果を調整制御装置４０に入力する構成としてもよい。
【００５６】
時間差調整値可変設定部４３は、イメージ抑圧比判定部４２によりイメージ抑圧比が所定値を超えていることが判定された場合、時間差調整部１２ａに順次異なる値の時間差調整値を設定する。
【００５７】
格納制御部４４は、異なる値の時間差調整値に基づき時間差が順次調整制御されたＩ波形データとＱ波形データに基づいて直交変調器１６から出力される変調信号のイメージ抑圧比の測定値が所定値を超えていないことがイメージ抑圧比判定部４２により判定された場合、時間差調整テーブル２１を初期化し、時間差調整部１２ａに設定されている時間差調整値を、局部発振器１５が出力中のキャリア周波数が属する周波数帯域に対応付けて時間差調整テーブル２１に格納する制御を行う。
【００５８】
上述した構成を有する信号調整システム１において、ＳＡ３０と調整制御装置４０は、図１に示すように、それぞれ、ＧＰＩＢ（General Purpose Interface Bus）インタフェースを有し、互いにＧＰＩＢ通信を行うことが可能な構成である。また、調整制御装置４０と信号発生装置１０はそれぞれイーサネット（登録商標）インタフェースを有し、相互にイーサネット（Ethernet）通信が可能な構成となっている。
【００５９】
上記接続構成により、信号調整システム１では、信号発生装置１０、ＳＡ３０及び調整制御装置４０が協働して、直交変調器１６が出力する変調信号の精度低下の原因となる信号要素を低減する信号調整を行うことができるようになっている。特に、本実施形態に係る信号調整システム１では、ＩＱ調整部１２に設けた時間差調整部１２ａによって、直交変調器１６に入力する前のＩ波形データとＱ波形データ間の時間差を調整しつつイメージ抑圧比を低減する信号調整処理を行う。
【００６０】
また、信号調整システム１は、上述した信号調整処理に合わせて、イメージ抑圧比を所定以下とし得る時間差調整値を、信号発生装置１０が出力可能なキャリア周波数範囲内の規定の周波数幅を有する連続する各帯域にそれぞれ対応付けて時間差調整テーブル２１に格納するテーブル生成処理を行う。
【００６１】
テーブル生成処理を含む信号調整処理を実行するため、信号発生装置１０、ＳＡ３０及び調整制御装置４０は、それぞれのマイクロコンピュータに信号調整用の所定のプログラムを実装し、当該各プログラムをそれぞれ実行し、相互に制御情報（コマンド）を送受可能な構成となっている。
【００６２】
本実施形態に係る信号調整システム１の信号調整処理に係る各装置間のコマンド送受信動作について図４を参照して説明する。
【００６３】
図４に示すように、信号調整システム１の信号調整処理においては、まず、調整制御装置４０の測定値取得部４１が信号発生装置１０に対してキャリア周波数設定コマンドを送出し（Ｓ１０１ａ）、次いで、出力開始コマンドを送出する（Ｓ１０１ａ）。
【００６４】
信号発生装置１０は、キャリア周波数設定コマンド及び出力開始コマンドを受信すると、キャリア周波数設定コマンドによって指定されたキャリア周波数例えば（ｆ）のキャリア信号を局部発振器１５から出力させ、直交変調器１６がそのキャリア信号をＩ波形アナログ信号及びＱ波形アナログ信号で直交変調して変調信号として出力する。このとき、時間差調整部１２ａには、初期値の時間差調整値が設定され、信号発生装置１０では、該時間差調整値に基づきＩ波形データとＱ波形データ間の時間差調整が実行されたうえで直交変調器１６により変調信号が生成され、出力される。
【００６５】
次に、測定値取得部４１は、ＳＡ３０に対し、測定値取得要求コマンドを送出する（Ｓ１０３ａ）。ＳＡ３０は、測定値取得要求コマンドを受信すると、信号発生装置１０から出力された変調信号のイメージ抑圧比を測定し、その測定値を調整制御装置４０に送出する（Ｓ１０４ａ）。
【００６６】
調整制御装置４０では、測定値取得部４１がイメージ抑圧比の測定値を受信し、イメージ抑圧比判定部４２により該測定値が所定値を超えていると判定された場合には、時間差調整値可変設定部４３が信号発生装置１０に初期値とは異なる新たな時間差調整値を設定することを示す時間差調整値可変設定コマンドを信号発生装置１０に送出する（Ｓ１０５）。時間差調整値可変設定コマンドを受信すると、信号発生装置１０は、時間差調整部１２ａに新たな時間差調整値を設定し、該時間差調整値に基づきＩ波形データとＱ波形データ間の時間差調整を行ったうえで直交変調器１６により変調信号を生成し、出力する。
【００６７】
その後、測定値取得部４１は、ＳＡ３０に対して測定値取得要求コマンドを送出し（Ｓ１０３ｂ）、その測定値取得要求コマンドに基づき信号発生装置１０から送出されたイメージ抑圧比の測定値を受信する（Ｓ１０４ｂ）。
【００６８】
引き続き、調整制御装置４０では、測定値取得部４１がＳＡ３０から送出されたイメージ抑圧比の測定値を受信し、イメージ抑圧比判定部４２により該測定値が所定値以下であると判定された場合、格納制御部４４が信号発生装置１０に時間差調整値の格納を指示する時間差調整値格納コマンドを送出する（Ｓ１０６）。
【００６９】
信号発生装置１０は、時間差調整値格納コマンドを受信すると、制御部２２がステップＳ１０５ａの時間差調整値可変設定コマンドに基づき時間差調整部１２ａに設定中の時間差調整値を時間差調整テーブル２１にステップＳ１０１ａで指定されたキャリア周波数（ｆ）に対応付けて格納する。ここでは、格納制御部４４が時間差調整値の格納を指示し、該指示に基づき信号発生装置１０が時間差調整値を時間差調整テーブル２１に格納する例を挙げているが、イメージ抑圧比判定部４２により該測定値が所定値以下であると判定された場合に、格納制御部４４が時間差調整テーブル２１に時間差調整値を直接格納する構成としてもよい。
【００７０】
さらに、調整制御装置４０は、キャリア周波数（ｆ＋Δｆ）を設定することを指示するキャリア周波数設定コマンドを送出し（Ｓ１０１ｂ）、次いで、出力開始コマンドを送出した後（Ｓ１０２ｂ）、ステップＳ１０３からＳ１０６までの処理を実行する。その後も同様に、調整制御装置４０は、順次Δｆ増加させたキャリア周波数を設定することを指示するキャリア周波数設定コマンドを例えばｎ回送出し、その都度、Ｓ１０１からＳ１０６までの処理を繰り返し実行する。これにより、格納制御部４４は、キャリア周波数（ｆ）から（ｆ+ｎ×Δｆ）までの周波数範囲における各帯域にそれぞれ対応付けてイメージ抑圧比を所定値以下とし得る時間差調整値を時間差調整テーブル２１に格納できる。
【００７１】
図４に示した信号発生装置１０、ＳＡ３０及び調整制御装置４０のコマンド送受信動作を踏まえ、以下、本実施形態の信号調整システム１を用いた信号調整方法について、図５のフローチャートを参照しながら説明する。
【００７２】
まず、調整制御装置４０は、キャリア信号のキャリア周波数ｆの初期値ｆ０を信号発生装置１０の局部発振器１５に設定する（ステップＳ１）。
【００７３】
次に、調整制御装置４０は、信号発生装置１０の制御部２２に制御信号（図６の出力開始コマンド）を送出して、信号発生装置１０から変調信号を出力させる（ステップＳ２）。
【００７４】
次に、測定値取得部４１は、ＳＡ３０に測定値取得要求コマンドを送出し、次いで、イメージ抑圧比判定部４２は、測定値取得要求コマンドによりＳＡ３０から送出される変調信号のイメージ抑圧比の測定値が予め設定されている所定値（閾値）より大きいか否かを判断する（ステップＳ３）。ここで肯定判断の場合にはステップＳ４のイメージ信号処理に進む。否定判断の場合にはステップＳ５に進み、現時点で時間差調整部１２ａに設定されている時間差調整値は変更されない。なお、ステップＳ４の処理の詳細については後述する。
【００７５】
ステップＳ５において調整制御装置４０は、イメージ抑圧比の調整対象とされているキャリア周波数範囲（例えば、５ＧＨｚ〜６ＧＨｚ）内の全てのキャリア周波数（帯域）についての調整がステップＳ４の処理によって完了したか否かを判断する。ここで、肯定判断の場合には処理を終了する。否定判断の場合にはステップＳ６に進む。
【００７６】
ステップＳ６において調整制御装置４０は、キャリア周波数ｆを所定のステップΔｆだけ増加させて、信号発生装置１０の局部発振器１５に設定し、ステップＳ２以降の処理を実行する。その後も調整制御装置４０は、ステップＳ６で順次ステップΔｆだけ増加させたキャリア周波数ｆを対象にステップＳ４の信号調整処理を繰り返し実行し、ステップＳ５で肯定判断がなされることにより、上記キャリア周波数範囲の全てのキャリア周波数（帯域）を対象とする一連の信号調整処理を終了する。
【００７７】
次に、図６のフローチャートを参照しながら、図５のステップＳ４におけるイメージ信号調整処理について説明する。
【００７８】
イメージ信号調整処理（図５のステップＳ４参照）が開始されると、時間差調整値可変設定部４３は時間差調整値を更新し（Ｓ１１）、該更新後の時間差調整値を時間差調整部１２ａに設定する（Ｓ１２）。時間差調整値としては、それぞれ値が異なり、各値に応じてイメージ抑圧比を異なるレベルに調整できる複数のものが用意、若しくは発生されるようになっている。
【００７９】
信号発生装置１０では、時間差調整部１２ａが更新された時間差調整値に基づいてＩ波形データとＱ波形データの相対的な時間差を調整する。これにより、直交変調器１６からは上記時間差調整後のＩ波形データとＱ波形データに基づく変調信号が出力される。
【００８０】
次に、測定値取得部４１はＳＡ３０に対して測定値取得要求コマンドを送出し、該測定値取得要求コマンドに基づきＳＡ３０から送出される更新後の時間差調整値に基づく変調信号のイメージ抑圧比の測定値を取得する（Ｓ１３）。
【００８１】
次いで、イメージ抑圧比判定部４２は、ステップＳ１３で取得した測定値に基づいてイメージ抑圧比が所定値（閾値）以下であるか否かを判定する（Ｓ１４）。ここで、否定判断の場合には、ステップＳ１１に戻る。ステップＳ１１では、時間差調整値可変設定部４３が時間差調整値を次の値に更新し（Ｓ１１）、該更新後の時間差調整値を時間差調整部１２ａに設定する（Ｓ１２）。
【００８２】
引き続き、測定値取得部４１は、ステップＳ１２で設定された更新後の時間差調整値に基づく変調信号のイメージ抑圧比の測定値をＳＡ３０から取得し（Ｓ１３）、イメージ抑圧比判定部４２は、ステップＳ１３で取得した測定値に基づいてイメージ抑圧比が所定値以下であるか否かを判定する（Ｓ１４）。ここで否定判断の場合には、ステップＳ１１に戻って、時間差調整値を次の値に更新し（Ｓ１１）、以後、ステップＳ１１からＳ１４までの処理を続行する。
【００８３】
この間、ステップＳ１４で肯定判断がなされた場合、格納制御部４４は、ステップＳ１２で設定された時間差調整値をこのとき出力されているキャリア信号のキャリア周波数が属する帯域に対応する時間差調整値として時間差調整テーブル２１に格納する。この格納処理が完了すると、図６におけるステップＳ５に移行する。
【００８４】
このように、本実施形態に係る信号調整システム１は、測定値取得部４１がイメージ抑圧比の測定値をＳＡ３０から順次取得し、取得した測定値に基づいてイメージ抑圧比が所定値を超えているか否かをイメージ抑圧比判定部４２で判定し、該イメージ抑圧比判定部４２によりイメージ抑圧比が所定値を超えていることが判定された場合には、時間差調整値可変設定部４３が時間差調整部１２ａに順次異なる値の時間差調整値を設定し、異なる値の時間差調整値に基づき時間差が順次調整制御されたＩ波形データとＱ波形データに基づいて直交変調器１６から出力される変調信号のイメージ抑圧比の測定値が所定値以下であることがイメージ抑圧比判定部４２により判定された場合、格納制御部４４が、時間差調整テーブル２１を初期化し、時間差調整部１２ａに設定されている時間差調整値を局部発振器１５が出力中のキャリア信号の周波数帯域に対応付けて時間差調整テーブル２１に格納するようになっている。
【００８５】
上記信号調整処理（図５、図６参照）によって、信号発生装置１０の時間差調整テーブル２１には、キャリア周波数（ｆ）から（ｆ+ｎ×Δｆ）まで周波数範囲の所定周波数幅の各帯域にそれぞれ対応付けてイメージ抑圧比を所定値以下とし得る時間差調整値が格納される。
【００８６】
図３に示す時間差調整テーブル２１は、上記信号調整処理においてΔｆを１００ＭＨｚに設定し、信号発生装置１０のキャリア信号のキャリア周波数５０００ＭＨｚから６０００ＭＨｚの周波数範囲を、例えば１００ＭＨｚ刻みの周波数幅の帯域に分けたうえで、各帯域にそれぞれ対応付けて時間差調整値を格納したものである。なお、時間差調整テーブル２１を生成するに際し、局部発振器１５から出力可能なキャリア周波数範囲における時間差調整対象帯域、及び該時間差調整対象帯域内の各周波数帯域の帯域幅（上記Δｆに相当）は任意に設定することができる。
【００８７】
次に、ＳＡ３０及び調整制御装置４０から切り離された信号発生装置１０の動作について図７及び図８を参照して説明する。
【００８８】
信号発生装置１０は、ＳＡ３０及び調整制御装置４０から切り離されたときに、時間差調整テーブル２１に例えば図３に示す時間差調整値が各帯域に対応付けて格納されている（図６のＳ１６参照）。
【００８９】
この状態で、信号発生装置１０は、ユーザによる操作部１９での操作に応じて各種動作を実行する。例えば、信号発生装置１０において、操作部１９で所定の宛先への発信操作がなされると、制御部２２は、当該宛先への発信動作を開始する。発信等の動作が行われると、ＩＱ時間差調整制御部２３は図７に示すＩＱ時間差調整処理を実行する。
【００９０】
ＩＱ時間差調整処理において、ＩＱ時間差調整制御部２３は、まず、局部発振器１５が出力しているキャリア周波数を検知（捕捉）する（Ｓ２１）。次に、ＩＱ時間差調整制御部２３は、ステップＳ２１で検知したキャリア周波数に対応付けて時間差調整テーブル２１に格納されている時間差調整値を読み出す（Ｓ２２）。
【００９１】
引き続き、ＩＱ時間差調整制御部２３は、ステップＳ２２で読み出した時間差調整値を時間差調整部１２ａに設定する（Ｓ２３）。時間差調整部１２ａは、設定された時間差調整値に基づいてＩ波形データとＱ波形データ間の相対的な時間差を調整する。本実施形態の信号発生装置１０では、時間差調整部１２ａは、ＩＱ調整部１２におけるＱ波形データの伝送経路中に介挿された遅延回路により構成される。時間差調整部１２ａは、時間差調整値が設定されると、例えば、別経路を伝送されるＩ波形データに対して、設定された時間差調整値の時間だけＱ波形データを遅らせるように制御する。
【００９２】
具体例として、局部発振器１５が出力しているキャリア周波数が５０５０ＭＨｚ帯である場合、ＩＱ時間差調整制御部２３は、時間差調整テーブル２１から当該帯域に対応付けられている時間差調整値として５（ｐｓｅｃ）を読み出して時間差調整部１２ａに設定し、Ｑ波形データをＩ波形データから５（ｐｓｅｃ）遅らせるように制御する。また、局部発振器１５が出力しているキャリア周波数が５１５０ＭＨｚ、あるいは５２５０ＭＨｚ帯である場合、ＩＱ時間差調整制御部２３は、それぞれ、時間差調整テーブル２１から時間差調整値として１５（ｐｓｅｃ）を読み出して時間差調整部１２ａに設定し、Ｑ波形データをＩ波形データから１５（ｐｓｅｃ）遅らせるように制御する。
【００９３】
ＩＱ時間差調整制御部２３は、ステップＳ２３のＩＱ時間差調整処理を行いながら、操作部１９で動作終了操作が行われるなどにより動作終了となったか否かを判定する（Ｓ２４）。ここで、否定判断の場合、ＩＱ時間差調整制御部２３は、ステップＳ２２で読み出した時間差調整値の設定を維持する（Ｓ２１）。これに対し、肯定判断の場合、ＩＱ時間差調整制御部２３は、当該時間差調整処理を終了する。
【００９４】
このように、本実施形態に係る信号発生装置１０は、波形データ発生部１１とＤＡＣ１３との間に配置され、波形データ発生部１１から入力するＩ波形データとＱ波形データの相対的な時間差を調整する時間差調整部１２ａを有し、時間差の調整によって直交変調器１６から出力される変調信号のイメージ抑圧比を調整するＩＱ調整部１２と、イメージ抑圧比を所定値以下に調整するためのＩ波形データとＱ波形データの時間差調整値を、局部発振器１５から出力可能なキャリア周波数帯域の連続する複数の周波数範囲にそれぞれ対応付けて格納する時間差調整テーブル２１と、を有し、ＩＱ時間差調整制御部２３により、局部発振器１５が出力するキャリア信号のキャリア周波数が属する周波数帯域に対応付けられた時間差調整値を時間差調整テーブル２１から読出し、該時間差調整値に基づいて時間差調整部１２ａにおけるＩ波形データとＱ波形データ間の時間差の調整制御を行うようになっている。
【００９５】
ここで、時間差調整テーブル２１に各周波数帯域に対応付けて格納される時間差調整値は、信号発生装置１０をＳＡ３０及び調整制御装置４０と通信可能状態に接続した信号調整システム１での運用時に実施される信号調整処理（図４〜図６参照）によって、局部発振器１５が出力中のキャリア信号が上記各周波数帯域にあるときにイメージ抑圧比を所定値以下に保ち得る値となっている。
【００９６】
このため、信号発生装置１０は、信号調整システム１から切り離した後、発信等の動作に合わせて図７に示すＩＱ時間差調整制御を実行することで、キャリア信号が直交変調器１６から出力可能な変調信号の周波数範囲のどの帯域にあっても当該帯域に対応付けられた時間差調整値に基づいてイメージ抑圧比を精度よく低減でき、イメージ抑圧比による品質劣化の少ない高精度な変調信号を広帯域に亘って得ることが可能となる。
【００９７】
なお、本発明は上述した実施形態に限らず、その要旨を逸脱しない範囲で種々の変形及び応用が可能である。
【００９８】
例えば、ＩＱ調整部１２は、波形データ発生部１１とＤＡＣ１３との間に配置する構成に限らず、波形データ発生部１１と直交変調器１６の間の適宜な位置に配置する構成としてもよい。例えば、ＩＱ調整部１２をＤＡＣ１３とＬＰＦ１４の間に設けた構成、若しくは、ＬＰＦ１４と直交変調器１６の間に設けた構成とすることができる。いずれの構成も、ＩＱ調整部１２に設けた時間差調整部１２ａのＩ波形データ及びＱ波形データ間の時間差調整制御によってイメージ抑圧比の所定値以下への低減が可能となる。
【００９９】
また、本発明において、ＩＱ調整部１２は、時間差調整部１２ａをＱ波形データの伝送経路中に介挿してＩ波形データに対してＱ波形データを遅らせる構成に限らず（図１、図７参照）、時間差調整部１２ａをＩ波形データの伝送経路中に介挿し、時間差調整値が設定されると、別経路で伝送されるＱ波形データに対してＩ波形データを設定された時間差調整値に基づき遅らせる構成としてもよい。この場合、時間差調整テーブル２１は、例えばＱ波形データを基準とし、Ｑ波形データに対してＩ波形データを遅らせる時間（遅延時間）を時間差調整値として格納した構成としてもよい。
【０１００】
さらに本発明において、時間差調整テーブル２１は、イメージ抑圧比を所定値以下とし得るＩ波形データ及びＱ波形データ間の相対的な時間差を時間差調整値として格納するとともに、ＩＱ調整部１２は、Ｉ波形データの伝送経路及びＱ波形データの伝送経路の双方にそれぞれ時間差調整部１２ａを介挿し、Ｉ波形データとＱ波形データの相対的な時間差が、時間差調整テーブル２１に格納された時間差調整値に相当する時間差となるようにＩ波形データ及びＱ波形データの双方を適宜遅延させる構成としてもよい。要するに、本発明では、時間差調整部１２ａは、Ｉ波形データまたはＱ波形データの少なくとも一方を遅延させる遅延回路で構成されることが望ましい。
【０１０１】
また、本発明において、ＩＱ調整部１２は、時間差調整部１２ａに加え、キャリアリークを低減するための各種パラメータ、例えば、Ｉ波形データ及びＱ波形データの中心レベルをそれぞれ調整するためのパラメータであるＤＣオフセット（Ｉオフセット、Ｑオフセット）、Ｉ波形データとＱ波形データの間の直交性を補正するためのパラメータである移相量、Ｉ波形データとＱ波形データの振幅を調整するためのパラメータであるゲイン（Ｉゲイン、Ｑゲイン）を調整するレベル調整部が付加された構成であってもよい。
【０１０２】
この構成によれば、ＳＡ３０と通信可能に接続される調整制御装置４０を、信号発生装置１０が出力する変調信号のＳＡ３０によるキャリアリークの測定値を電圧値に変換し、この電圧値が所定値以下となるゲイン、ＤＣオフセット、移相量の調整値を算出し、算出した調整値をＩＱ調整部１２のレベル調整部に設定する制御機能をソフトウェア的に実現する構成とすることで、変調信号のキャリアリークについても所定値（キャリアリーク閾値）以下となるように調整することができる。
【０１０３】
また、この構成において、例えば、図５に示す信号調整処理に際して、時間差調整値の可変設定に基づくイメージ信号調整処理（Ｓ４参照）に続いてキャリアリークを低減するための各種パラメータの可変調整に基づくキャリアリーク調整処理を実行し、キャリアリークを所定値以下に調整可能なパラメータ調整値についても、時間差調整値と同様、上述した各帯域に対応付けて格納するようにしてもよい。
【０１０４】
この構成によれば、信号調整システム１から切り離された後、信号発生装置１０は、キャリア信号が直交変調器１６から出力可能な変調信号の周波数範囲のどの帯域に属していても当該帯域に対応付けられた時間差調整値及びパラメータ調整値に基づいてイメージ抑圧比及びキャリアリークを精度よく低減でき、イメージ抑圧比及びキャリアリークによる品質劣化の少ない高精度な変調信号を広帯域に亘って取得可能となる。
【符号の説明】
【０１０５】
１  信号調整システム
１０  信号発生装置
１１  波形データ発生部
１２  ＩＱ調整部
１２ａ  時間差調整部
１３  ＤＡＣ（Ｄ／Ａ変換器）
１５  局部発振器
１６  直交変調器
２０  記憶部
２１  時間差調整テーブル
２２  制御部
２３  ＩＱ時間差調整制御部（時間差調整制御部）
３０  スペクトラムアナライザ（イメージ抑圧比測定装置）
４０  調整制御装置
４１  測定値取得部
４２  イメージ抑圧比判定部
４３  時間差調整値可変設定部
４４  格納制御部
Ｉ  Ｉ波形データ
Ｑ  Ｑ波形データ
【図１】
2018157316.tif 000003
【図２】
2018157316.tif 000004
【図３】
2018157316.tif 000005
【図４】
2018157316.tif 000006
【図５】
2018157316.tif 000007
【図６】
2018157316.tif 000008
【図７】
2018157316.tif 000009
【図８】
2018157316.tif 000010
【図９】
2018157316.tif 000011